(57)【要約】【課題】  ディスクを取り替えた場合でも、以前の再生中断点から再生を開始することが出来るような光ディスクおよび光ディスク装置を得る。【解決手段】  ユーザが再生を開始したい位置情報が登録されるユーザ定義位置情報テーブルと、装置が再生を停止した位置の情報が記録される再生終了位置情報テーブルとを、別々のテーブル情報として光ディスクに記録しておく。また、光ディスクを再生する光ディスク装置が、上記の位置情報に対応する映像情報を再生する際の装置の状態に関する情報をも登録できるようにする。【選択図】          図６
2005032441.tif 000002
【特許請求の範囲】
【請求項１】
映像情報を記録する光ディスクにおいて、ユーザが所望する映像情報の位置情報を登録するユーザ定義位置情報テーブルと、光ディスク装置が再生を停止した位置情報を登録する再生終了位置情報テーブルとを、別々のテーブル情報として具備する光ディスク。
【請求項２】
前記前記ユーザ定義位置情報テーブルあるいは再生終了位置情報テーブルは、前記光ディスクを再生する光ディスク装置が当該位置情報に対応する映像情報を再生する際の装置の状態に関する情報を登録し得る請求項１記載の光ディスク。
【請求項３】
請求項１記載の光ディスクを再生する光ディスク再生方法であって、前記ユーザ定義位置情報テーブルと再生終了位置情報テーブルの２つのテーブルに登録されている位置情報に対応する映像情報を前記光ディスクの再生順に表示装置に表示し、再生開始点の候補とする光ディスク再生方法。
【請求項４】
請求項１記載の光ディスクを駆動する光ディスク装置であって、前記光ディスク上の現在再生している位置を検出する検出部と、前記ユーザが所望する映像情報の位置情報を蓄積する第１のメモリと、前記光ディスク装置が再生を停止した位置情報を蓄積する第２のメモリとを備え、前記光ディスクに映像信号を記録中、あるいは該光ディスクに記録された映像信号を再生中に追加された位置情報をその種類に応じて前記２つのメモリに記録し、記録された位置情報を所定の時間間隔あるいはタイミングにおいて前記光ディスクの２つの位置情報テーブルに記録し直すことを特徴とする光ディスク装置。
【請求項５】
映像情報を光ディスクに記録する記録方法において、ユーザが所望する映像情報の位置情報をユーザ定義位置情報テーブルに登録し、光ディスク装置が再生を停止した位置情報を、前記ユーザ定義位置情報テーブルとは別のテーブル情報である再生終了位置情報テーブルに登録する光ディスク記録方法。
【請求項６】
請求項１記載の光ディスクから映像情報を再生する再生方法において、前記ユーザ定義位置情報テーブルからユーザが所望する映像情報の位置情報を読み出し、前記再生終了位置情報テーブルから光ディスク装置が再生を停止した位置情報を読み出し、読み出された位置情報に基づき、映像情報を再生する光ディスク再生方法。
【請求項７】
請求項２記載の光ディスクから映像情報を再生する再生方法において、前記ユーザ定義位置情報テーブル及び再生終了位置情報テーブルから、ユーザが所望する映像情報の位置情報と、光ディスク装置が再生を停止した位置情報と、前記装置の状態に関する情報とを読み出し、読み出された位置情報と装置の状態に関する情報とに基づき、映像情報を再生する光ディスク再生方法。
【請求項８】
映像情報の再生は、読み出された位置情報のなかからユーザの選択した位置情報に基づき行われるものである請求項６又は７記載の光ディスク再生方法。
【発明の詳細な説明】
【技術分野】
【０００１】
この発明は、任意の位置にアクセス可能な光ディスクに関わるものであり、より詳しくは、光ディスク装置の再生停止時のアドレス情報、あるいは、ユーザ指定のアドレス情報等を光ディスク上の所定のエリアに登録しておくことのできる光ディスク、及び、この光ディスクを用いた光ディスク装置並びに光ディスク再生方法に関するものである。
【背景技術】
【０００２】
映像の再生装置の機能の一つとしてブックマークと呼ばれるものがある。特開平６−１３１４０１号公報には、記録媒体として光ディスクを用いたしおり情報付加機能が、また特開平９−１６７４７２号公報にはＣＤ−ＲＯＭにおけるしおり付与方法について記載されている。この機能はユーザが映像の再生を終了（停止）した位置を何らかの手段で装置が記憶しておき、その後再生を再開した時に終了位置から再生を開始するもので、いわばしおりのような機能をはたすものである。音声を記録再生するＭＤ（Ｍｉｎｉ−Ｄｉｓｃ）にはこの機能を持っているものも存在する。また、映像を扱うものとしてはＶｉｄｅｏ−ＣＤがある。図１０は従来の光ディスク装置を用いた映像再生装置のブックマーク機能を実現するのに必要な構成の一例を示すブロック回路図である。
【０００３】
図において、１０１は記録媒体である光ディスク、２は光ディスク１を回転させるディスクモータ、３はディスクモータ２の駆動回転を制御するモータ制御手段、１０２は光ディスク１０１からデータ、アドレス等を含む情報信号を再生する情報再生ヘッド、５は情報再生ヘッド１０２で再生した信号からセクタアドレス信号を抽出し、抽出したセクタアドレス信号をセクタアドレス値に変換したアドレス解読信号を出力するアドレス解読手段、１０３は情報再生ヘッド１０２から再生信号を読み出し、復調する再生手段、１０４は映像信号を復号化し、出力ユーザインタフェース部へ送る映像信号復号化手段、１０５は再生開始位置アドレスをためておくバッファメモリ。このバッファメモリ１０５は再生開始位置アドレスを保存し得るものであればどのようなものでもよいが、装置の電源がＯＦＦになってもその記憶された情報が消えないような不揮発性のデバイスであることが望ましい。１０６はユーザからの再生・停止要求を装置に伝える入力ユーザインタフェース部、１０７は映像信号をユーザに表示する出力ユーザインタフェース部、１０８は上記各手段をコントロールするコントローラである。
【０００４】
以上の装置の動作を説明する。光ディスク１０１の再生中にユーザから停止要求がなされると、入力インタフェース部１０６から停止要求信号がコントローラ１０８へ送られる。コントローラはその信号の受信を契機として、現在再生しているディスク上の位置のアドレスをアドレス解読手段５を通じて得、得られたアドレスをバッファメモリ１０５に登録する。その後、ユーザが入力インタフェースを通じて再び再生を命ずると、バッファメモリ１０５に登録されたアドレスがコントローラによって読み出され、このアドレスに基づき情報再生ヘッド１０２をそのアドレスに対応する位置に移動させて再生を再開する。
なお、バッファメモリ１０５は、装置の電源を切った場合にも登録しているアドレス情報を喪失しないように不揮発性のデバイスではあるが、光ディスクを別のものに変えた場合には、バッファメモリ１０５に記憶されたアドレス情報は意味をもたなくなるため、交換を検出するとアドレス情報を消去するように構成されている。
このような方法を採用することにより、従来の装置では、ユーザは再生を終了した位置を自分が覚えておくことなく容易に終了箇所から再生を再開することが出来る。
【特許文献１】特開平６−１３１４０１号公報
【特許文献２】特開平９−１６７４７２号公報
【発明の開示】
【発明が解決しようとする課題】
【０００５】
従来の光ディスク装置は以上のように構成されていたので、光ディスクを取り替えた場合には、バッファメモリに記憶されている再生開始位置の情報は取り替える前の光ディスクの再生開始位置情報であるために意味をもたない無効な情報となり消去される。したがって、光ディスクを交換し新たなディスクを装置に取り込んだ場合にはそのディスクに関しては以前の再生終了点はわからず、最初の位置から再生する他なかった。
【０００６】
また、バッファメモリに記憶されている再生終了点は、装置の電源を切った場合にも利用できるようにするため、電源を遮断しても記憶した情報が残る不揮発性のデバイスまたはそのようなしくみを光ディスク装置に設けることが必要であることから、装置の高コスト化を招く。
【０００７】
この発明は、かかる問題点を解決するためになされたもので、光ディスクを交換した場合であっても、その光ディスクに関する以前の再生終了点を検出することができ、容易にその位置から再生を再開することが出来る光ディスク装置を得ることを目的とする。
【０００８】
また、任意の光ディスクを別の装置に持っていった場合でも、その光ディスクに関する以前の再生終了点から再生を再開することが可能な光ディスクを得ることを目的とする。
【０００９】
また、再生開始点として、以前の再生終了点のほかにユーザが所望する任意の位置を登録することを可能とする光ディスクおよびこの光ディスクを用いることで容易に再生終了点あるいはユーザの所望する位置からの再生ができる光ディスク装置を得ることを目的とする。
【００１０】
また、登録された再生終了点はユーザが削除しなくても古いものから順に自動更新されるように構成することで、必要以上に再生終了点の情報が増えることのない光ディスクおよび光ディスク装置を得ることを目的とする。
【課題を解決するための手段】
【００１１】
請求項１または２に記載の光ディスクは、ユーザが再生を開始したい位置情報が登録されるユーザ定義位置情報テーブルと、装置が再生を停止した位置の情報が記録される再生終了位置情報テーブルとを具備するものであり、さらに、再生終了位置情報テーブルは、再生終了位置を示す複数のアドレス情報と、次に記録すべきアドレス情報を記録する位置を示す次ポインタ情報とが登録されるものである。また、請求項３に記載の光ディスクは、ユーザ定義位置情報テーブルあるいは再生終了位置情報テーブルが、アドレス情報とともに光ディスクを再生する光ディスク装置が当該アドレス情報位置の映像情報を再生する際の装置の状態に関する情報をも登録し得るものである。
【００１２】
請求項４に記載の光ディスク再生方法は、請求項２のポインタ位置を再生終了位置のアドレスを記録するたびにテーブルの先頭から最後に向けて移動させ、テーブルが一杯になった場合にはまた先頭にもどってアドレスを更新するようにすることで、テーブル内には、常に最新の再生終了位置のアドレス情報が自動的に登録されているようにしたものである。
【００１３】
請求項５に記載の光ディスク再生方法は、請求項１記載の光ディスクを再生する方法であって、ユーザ定義位置情報テーブルと再生終了位置情報テーブルの２つのテーブルに登録されているアドレス情報に対応する映像情報を光ディスクの再生順に表示装置に表示するものである。
【００１４】
請求項６に記載の光ディスク装置は、再生している位置を検出するアドレス検出部と、ユーザ定義位置情報テーブルの情報を貯えておくバッファメモリと、再生終了位置情報を貯えておくバッファメモリと、映像信号を符号復号化する映像符号復号部と、光ディスクの駆動を制御し、また２つのバッファメモリに貯えられた位置情報を適時光ディスクに記録したり、該位置情報を追加・修正するコントロール部と、ユーザが再生を開始したい位置やユーザが再生停止したことをコントロール部に伝える入力インタフェース部と、２つのテーブルに登録されている位置情報やそれに対応した映像情報をユーザに伝える出力ユーザインタフェース部とで構成したものである。
また、請求項７に記載の光ディスクは、任意の位置をアクセス可能な光ディスクであって、該光ディスク上の物理的な位置を表すアドレス情報とともに、符号化された映像情報が記録される光ディスクにおいて、アドレス情報中、ユーザが指定したアドレス情報、あるいは記録される映像情報中における特定位置に関するアドレス情報を更新可能に登録し得る領域を設けたものである。
さらに、請求項８に記載の光ディスクは、請求項７に記載の特定位置が記録される映像情報のシーンチェンジ位置であるものである。
【発明の効果】
【００１５】
この発明は、以上説明したように構成されているので、以下に示すような効果を奏する。
【００１６】
本発明による光ディスクにおいては、ユーザが再生を開始したい位置情報が登録されるユーザ定義位置情報テーブルと、装置が再生を停止した位置の情報が記録される再生終了位置情報テーブルとを有し、その再生終了位置情報テーブルは次に記録すべき再生終了位置情報の位置を示すポインタと複数の再生終了位置を示す再生終了位置情報を記録することが可能であることによって、ディスクを挿入した直後においても、以前の再生中断点から再生を開始することが出来る。
【００１７】
また、ディスクを別の再生装置に持っていった場合でも、以前の再生終了点から再生を開始することが出来る。
【００１８】
また、複数の再生終了位置を登録するために、語学学習のような再生の反復頻度が高い用途において、ブックマーク機能に比べて、より頭出しを容易にする効果がある。
【００１９】
本発明による光ディスク再生方法においては、装置が再生を停止した位置の情報が記録される再生終了位置情報テーブルのなかの、次に記録すべき再生終了位置情報の位置を示すポインタの位置は、再生終了位置情報を記録するたびにテーブル内の再生終了位置情報の先頭から最後に移動させ、最後に到達した時にはまた先頭にもどるようにして更新を行い、該テーブル内には、再生終了位置の新しいものが常に格納することによって、登録された開始点はユーザが削除しなくても古いものから順に削除されるために、必要以上に再生開始点の情報が増えることをなくすことができる。
【発明を実施するための最良の形態】
【００２０】
以下、この発明の実施の形態を図をもとに具体的に説明する。
実施の形態１．
図１はこの発明にかかる光ディスクに設けられた複数の再生中断位置（再生終了位置）が登録される再生終了位置情報テーブルの一例を示す図である。図に示すようにテーブルは、ｎ個（ｎは自然数）の再生終了位置情報を格納することができる再生終了位置情報格納部と、１つの次ポインタ情報を格納する次ポインタ情報格納部とから構成される。それぞれの再生終了位置情報格納部には、再生終了位置情報としてユーザが再生を終了（停止）したディスク上の位置を示すアドレス情報が格納される。このアドレス情報は、対応した映像の再生時間の形式であってもよい。次ポインタ情報格納部は、次ポインタ情報として次にアドレス情報を記録する再生終了位置情報格納部の位置（アドレス）を格納する。この次ポインタ情報は、再生終了位置情報が記録される毎に次の再生終了位置情報の記録を開始すべきアドレスを示すように更新される。そして再生終了位置情報格納部が一杯になるとの該格納部の最初のアドレスに戻る。つまり再生終了位置情報はリングバッファと同様の形式で再生終了位置情報格納部に格納される。これによって、記録される再生終了位置情報格納部には常に最新のｎ個の再生終了位置情報が登録されている状態となる。
【００２１】
図２はこの発明にかかる光ディスクの再生終了位置情報テーブルの各領域の大きさと割り付けられるアドレスの一例を示している。この光ディスクは特定のセクタが３バイトであらわすことが可能な媒体であり、再生終了位置情報格納部は４つ（ｎ＝４）ある。また、次ポインタ情報格納部はアドレス０ｘ１００に、再生終了位置情報テーブル＃１から＃４は０ｘ１０３，０ｘ１０６，０ｘ１０９，０ｘ１０ａ、０ｘ１０ｃにそれぞれ割り当てられている。図３はこの再生終了位置情報格納部に再生終了位置情報が順次登録されていく状態を示した図である。この図では、再生終了位置情報として０ｘ１０００、０ｘ２０００、０ｘ３０００・・・・０ｘ６０００の順に登録されていくものとしている。何も登録されていない状態（図中（ａ））では、次ポインタ情報として再生終了位置情報の先頭アドレスである０ｘ１０３が登録されている。最初の登録情報として０ｘ１０００を登録する場合、次ポインタ情報が示す０ｘ１０３番地から０ｘ１０５番地に０ｘ１０００を登録する。そして、次ポインタ情報を２番目の再生終了位置情報格納部のアドレスである０ｘ１０６に更新する（図中（ｂ））。これと同様の処理を行うことで０ｘ２０００（図中（ｃ））、０ｘ３０００（図中（ｄ））と続く。０ｘ４０００を登録する時は、最後の再生終了位置情報格納部のアドレスである０ｘ１０ｃ番地に登録する。そして、次ポインタ情報は、また、最初の再生終了位置情報格納部のアドレスである０ｘ１０３に戻る（図中（ｅ））。これ以降は、再生終了位置情報は順次更新される（図中（ｆ）、（ｇ））。
【００２２】
図４はこの発明の光ディスクに設けられたユーザ定義位置情報テーブルの構成例を示す図である。本発明の光ディスクでは上述した再生終了位置情報格納部の他に、図に示すようなユーザ定義位置情報テーブルを別途有する。このユーザ定義位置情報テーブルにはｍ個（ｍは自然数）のユーザ定義位置情報が格納できるようになっており、それぞれの情報は、ユーザが自ら指定したディスク上の再生開始位置に関係する情報であり、通常、ディスクのアドレス情報が使われる。先に示した再生終了位置情報テーブルはｎ個以上の情報を記録する場合には古い情報から順に上書き更新していくことにより制限なく記録していくものであったが、これは、ユーザが再生を中断した位置というものは通常、ユーザの一時的な都合により設定されるものであって、古い情報ほど重要性が低いと考えられるからである。一方、ユーザ定義位置情報テーブルは最大ｍ個の情報を記録したら、原則これ以上の情報は記録しないように設定されたものである。これは、ユーザがその光ディスクに記録された情報に関連して特別な意味をもつ位置として登録するものであって、過去に記録したか最近記録したかは重要性において大きな問題ではないからである。
【００２３】
図５はこの発明の光ディスクを用いた光ディスク装置の具体的な構成の一例を示す図である。図において、１は記録媒体である光ディスク、２は光ディスク１を回転させるためのディスクモータ、３はディスクモータ２の駆動回転を制御するモータ制御手段、４は光ディスク１に映像データ等の情報を記録あるいは記録されたデータ、アドレス等の情報を再生する情報記録再生ヘッド、５は情報記録再生ヘッド４からセクタアドレス信号を読み出し、セクタアドレス信号をセクタアドレス値に変換したアドレス解読信号を出力するアドレス解読手段、６は記録時は記録データを変調後に情報記録再生ヘッド４に出力し、再生時は情報記録再生ヘッド４から再生信号を読み出し復調する記録再生手段、７は入力する映像信号を符号化して記録再生手段６に出力し、あるいは、記録再生手段６からの映像情報を復号化して後述の出力ユーザインタフェース部１０へ出力する映像信号符号化復号化手段、８は光ディスクから読み出した再生終了位置情報テーブルとユーザ定義位置情報テーブルの情報を光ディスク１の記録あるいは再生時、一時的に格納することのできるバッファメモリであり、再生終了位置情報とユーザ定義位置情報を登録し得る容量を備えている。９はユーザからの記録、再生の開始、終了、任意の再生開始位置を装置に伝える入力ユーザインタフェース部、１０は映像信号をユーザに表示する出力ユーザインタフェース部、１１は装置各部をコントロールするコントローラである。
なお、再生終了位置情報は再生を中断した位置であり装置が自動的に登録するが、一方、ユーザ定義位置情報は、ユーザが自らの意思で入力するアドレスであるため、これは、ユーザが映像を再生、あるいは記録中に、リモコンなどの入力インタフェースを通じて登録する。
【００２４】
以上の装置の動作を説明する。光ディスク１を当該装置に挿入すると、装置は光ディスク１上の所定の領域に記録されている再生終了位置情報テーブルとユーザ定義位置情報テーブルを読み取る。つまり、コントローラ１１は、再生終了位置情報テーブルとユーザ定義位置情報テーブルが記録されているアドレス位置の情報を記録再生手段６を通じて読み出す。得られた情報はバッファメモリ８に保存する。これ以降の２つのテーブルに関する動作はこのバッファメモリ８のデータを用いて行うことになる。なお、装置の動作中、バッファメモリ８では新たな再生終了位置情報あるいはユーザ定義位置情報を登録、更新することになるが、この場合、光ディスク上に登録された位置情報との整合性を担保するため、本装置では、ある所定の時間間隔毎及びユーザが装置の電源を切る直前などの所定のタイミングでバッファメモリ８に記録されている情報によりディスク１上のテーブル情報の更新を行うようにしている。このようにすることによって、再生終了位置情報やユーザ定義位置情報が新たに登録あるいは更新される度毎にディスク１の更新を行うのに比してディスク１のシーク、読み取り、書き込み処理が発生するのを防止でき、装置の処理負担を軽減することができる。
【００２５】
次にバッファメモリ８に記録された２つのテーブルを用いて再生開始位置を特定する動作について説明する。リモコンなどの入力インタフェース９にある再生開始位置ボタンが押されると、バッファメモリ８に記憶されている２つのテーブルを読み出し、登録されたアドレス情報を映像の再生順、すなわちアドレス順にソートする。そして、再生開始位置ボタンが押される毎にこのソート順にアドレスに対応する位置に記録されている映像情報を静止画として、ディスプレイ等の出力インタフェース１０に表示する。なお、再生開始位置情報としての静止画は、１枚ずつ表示するほかにマルチ画面として複数枚を一度に表示するように構成することもできる。
【００２６】
図６は本発明による光ディスクの再生開始位置の概念及び再生開始位置情報としての静止画の表示を説明するための図である。図に示す例では１つの映像情報の再生中、ユーザが２回の中断を行った場合を示す。それぞれの再生の終了位置は再生終了位置＃１、＃２で示す。また、本例では、それぞれの再生途中でユーザが再生開始点をそれぞれ１つ指定した場合（図中、ユーザ定義位置＃１、＃２として示す。）である。このような状況を各テーブルに登録した光ディスクにおいて、ユーザが再生開始位置ボタンを押すと、ユーザ定義位置＃１、再生終了位置＃１、ユーザ定義位置＃２、再生終了位置＃２の順にその位置に対応する映像が出力インタフェース１０を通じてディスプレイなどの表示装置に表示され、ユーザはこれを参照しつつ実際の再生開始位置を決定する。
【００２７】
ユーザへの表示方法には他の形態も考えられる。例えば上述したように１枚ずつ表示する変わりに、ディスプレイ上に複数の静止画をマルチ画面として一度に表示する方法である。この場合には、ユーザ定義位置と再生終了位置との画像情報をそれぞれ分けて表示すればユーザにとって両者の区別が容易につく上、選択の労に資する。
【００２８】
再生開始点には上で述べたように、ユーザの所望に応じて自由に設定することができるユーザ定義位置情報と再生終了点を認識して装置が自動的に設定する再生終了位置情報の２種類につき説明した。ユーザ定義位置情報は複数の登録が可能であるが、自動更新できないために登録できる数は有限である。これはユーザが定義する情報、つまり、その位置から再生を開始したいと考え登録するような箇所は、新しく登録したものと以前に登録したものとでそれほど重要度に差がないためにそのようにしたものである。もし、重要度が減少して再生開始点の候補に数えられない箇所が生じた場合には手動で不必要な情報を削除するよう装置に命令し得るように構成することも可能である。
このようなユーザ定義位置情報を映像とともに光ディスクに記録して有為な装置の一例としてはカメラと一体になった光ディスク装置が考えられる。
この場合、ユーザによって再生を開始したい位置は異なり、ユーザ定義位置情報の重要度が増す。もう一方の再生終了位置情報は限られた数であるが古い情報は最新のものに順次更新していくために、ユーザ自らが消去する必要がないため手間がかからないメリットがある。特に、本発明では登録可能な情報を複数とすることによって、例えば、語学学習等の反復などに有効に使えるメリットもある。この語学学習の場合において、ユーザが光ディスクに英会話番組を３回連続で記録したものを再生することを考える。ユーザ定義位置情報はそれぞれの番組の開始位置を示し、再生終了点は一つの番組内の単語の反復部分、会話の例示の等の終了点である。
また、本発明においては光ディスク上にテーブルを設けていることから、かかるディスクを様々な機能をもつ装置で再生などを行うことになる。例えば、映画など記録したディスクには、字幕表示、複数言語、画面表示の縦横比等の選択的な付加機能があることが多い。従って、テーブルにアドレスなどの位置情報のみを登録しておくだけでは、ユーザが再生を終了したときの装置の動作状態については装置側では全くわからず、ユーザの利便に欠ける事態を生じることも多くなると考えられる。
そこで、本発明では、各テーブルに登録しておく情報として、アドレス情報のみならず、ユーザがディスクの再生を終了した位置における装置の動作状態に関する情報についてもアドレスに対応して登録するように構成している。このようにすることで、ユーザはどの装置で再生するにしても、自らが以前、ディスクの再生を終了したのと同一の状態で視聴を再開することができる。
図７は、このような再生終了位置情報テーブルの例を示すもので、同図に示すように、再生終了位置情報テーブルは、ディスク上の位置を示す再生終了位置とそのときの光ディスク装置の再生状態を示す装置パラメータに関する情報とを対応づけて登録可能にしてある。
実施の形態２．
【００２９】
上記実施の形態１では、再生開始位置の候補としてユーザが再生を開始したい位置情報をユーザの要求により、ユーザ定義情報テーブルに登録するものであった。図８は本実施の形態２の光ディスクの再生開始位置等を特定する方法を示す図であり、図９はかかる方法により光りディスクのテーブルに再生開始位置情報等の情報を登録するための光ディスク装置の概略構成を示すブロック図である。図に示すように本実施の形態２では、ユーザが定義するものでなく記録を行う際などに、シーンの境界位置や番組などの映像情報の境界位置を装置が自動で検出し、この位置情報をアドレスとして光ディスクに登録しておくものである。このことによって、ユーザが再生開始点を登録しなくても自動的に良好な再生開始点の候補を光ディスクに蓄積することが可能である。また、本実施の形態２と実施の形態１とを組み合わせて再生終了位置、ユーザ定義位置、シーンチェンジ等の位置情報、さらには再生を開始した地点を再生終了位置と同様の形態で記録した再生開始点を組み合わせることも可能である。
具体的には、例えば、映像信号を記録する場合に、映像信号符号化復号化手段７は入力する映像信号の符号量などからシーンチェンジの有無を検出し、シーンチェンジを検出した場合にはコントローラ１１に情報を送る。コントローラ１１では情報を得ると、アドレス解読手段５の出力からシーンチェンジが発生した映像のアドレスを得、該アドレスをバッファ８に蓄積する。蓄積されたアドレスは所定の時間間隔で、あるいは所定のタイミング、例えば、記録の終了時、停止時などに記録再生手段６、情報記録再生ヘッド４を介して光ディスク１上のテーブルに登録される。
なお、上記した実施の形態によれば記録媒体として光ディスクを例にとって説明したが、例えば装置に対して着脱可能なメモリ媒体など、アドレスとともに情報が記録され、かかるアドレスを用いることで任意の位置にアクセス可能な媒体であればこれに限ることなく本発明を適用することが可能である。
【図面の簡単な説明】
【００３０】
【図１】この発明の実施の形態１である光ディスクの複数の再生終了位置が登録されるテーブルの例を示す図である。
【図２】この発明の実施の形態１である光ディスクの再生終了位置情報テーブルの各領域の大きさと割り付けられるアドレスを示す図である。
【図３】この発明の実施の形態１である光ディスクの再生終了位置情報に再生終了位置情報が登録されてゆく様子を示す図である。
【図４】この発明の実施の形態１である光ディスクのユーザ定義位置情報テーブルの構成例を示す図である。
【図５】この発明の実施の形態１である光ディスク装置の構成の例を示す図である。
【図６】この発明の実施の形態１である光ディスクの再生開始位置を特定する方法を示す図である。
【図７】この発明の実施の形態１である光ディスクの複数の再生終了位置が登録されるテーブルの他の例を示す図である。
【図８】この発明の実施の形態２の光ディスクの再生開始位置を特定する方法を示す図である。
【図９】この発明の実施の形態２である光ディスク装置の構成の例を示す図である。
【図１０】従来の光ディスク装置の構成の例を示す図である。
【符号の説明】
【００３１】
１  記録再生用光ディスク、２  ディスクモータ、３  モータ制御手段、４  情報記録再生ヘッド、５  アドレス解読手段、６  記録再生手段、７  映像信号変復調手段、８  バッファ、９  入力ユーザインタフェース部、１０  出力ユーザインタフェース部、１１  コントローラ、１０１  再生用光ディスク、１０２  情報再生ヘッド、１０３  再生手段、１０４  映像信号復調手段、１０５  バッファ、１０６  入力ユーザインタフェース、１０７  出力ユーザインタフェース、１０８  コントローラ。
【図１】
2005032441.tif 000003
【図２】
2005032441.tif 000004
【図３】
2005032441.tif 000005
【図４】
2005032441.tif 000006
【図５】
2005032441.tif 000007
【図６】
2005032441.tif 000008
【図７】
2005032441.tif 000009
【図８】
2005032441.tif 000010
【図９】
2005032441.tif 000011
【図１０】
2005032441.tif 000012